(57)【要約】【課題】扉体の容易な着脱及び確実な固定が可能、且つ箱体本体と扉体との電気的導通の確保が可能な蝶番を少ない部品数で提供する。【解決手段】少なくとも前面に開口を設けた箱体本体と、箱体本体に設けた開口を被覆すると共に開閉可能に設けられる扉体との間に設けられる蝶番であって、箱体本体に設けられる本体側蝶番と、本体側蝶番に掛合されると共に扉体に設けられる扉体側蝶番と、扉体側蝶番と本体側蝶番とに設けられる蝶番ピン挿通孔を貫通して設けられる蝶番ピンとからなり、蝶番ピンに蝶番ピン挿通孔に付着した塗装を剥離する塗装剥離機能と、蝶番ピン挿通孔に蝶番ピンを係止する係止機能とを備えた固定部を設けた。【選択図】図２
2010150845.tif 000002
【特許請求の範囲】
【請求項１】
少なくとも前面に開口を設けた箱体本体と、該箱体本体に設けた前記開口を被覆すると共に開閉可能に設けられる扉体との間に設けられる蝶番であって、前記箱体本体に設けられる本体側蝶番と、該本体側蝶番に掛合されると共に前記扉体に設けられる扉体側蝶番と、該扉体側蝶番と前記本体側蝶番とに設けられる蝶番ピン挿通孔を貫通して設けられる蝶番ピンとからなり、該蝶番ピンに前記蝶番ピン挿通孔に付着した塗装を剥離する塗装剥離機能と、前記蝶番ピン挿通孔に前記蝶番ピンを係止する係止機能とを備えた固定部を設けたことを特徴とする蝶番。
【発明の詳細な説明】
【技術分野】
【０００１】
本発明は、箱体本体と扉体との電気的導通が可能な蝶番に関するものである。
【背景技術】
【０００２】
従来、電気的に導通可能な蝶番には特許文献１に記載されているような、箱体本体３１に設けた本体側蝶番３２と扉体３３に設けた扉体側蝶番３４とに蝶番ピン３５を挿通させて一体化した蝶番において、蝶番ピン３５と本体側蝶番３２及び扉体側蝶番３４それぞれの間に導電性の弾性部材を介装することによって箱体本体３１と扉体３３とを蝶番を介して導通するように構成した電気機器収納用箱体があった。
【０００３】
しかしながら、特許文献１に記載の発明では、弾性部材の摺動によって蝶番の塗装を剥がすことから、摺動の度合いによって塗装を剥離する効果が一定ではなく、又、塗装面の厚さによっても塗装を剥離する効果が左右されるため電気的導通の信頼性が高くないという欠点があった。又、蝶番ピンと蝶番金具との間に異物を介在させるため、蝶番の動きが悪くなるという欠点があった。
【０００４】
この改善策として、特許文献２に記載されているような、箱体本体４１と扉体４３との間に設けられる本体側蝶番４２と扉体側蝶番４４とからなる蝶番金具に、ネジによって導通金具を取付け、この導通金具を蝶番ピン４５に当接させて電気的導通を確保した電気機器収納用箱体を用いることが考えられる。
【特許文献１】実開平０５−０５７８７９
【特許文献２】特開２００５−２９４２９９
【発明の開示】
【発明が解決しようとする課題】
【０００５】
しかしながら、上記の改善策では蝶番ピンに当接させる導通金具が必要となり、又、この導通金具をネジによって取り付けるため部品数が増え、且つ、コストがかかるという欠点がある。
【０００６】
又、部品数が増えるため作業工程数が増え、生産効率を低下させる恐れがあるという欠点がある。
【０００７】
このため、本発明によって解決しようとする課題は、扉体の容易な着脱及び確実な固定が可能、且つ箱体本体と扉体との電気的導通の確保が可能な蝶番を少ない部品数で提供することにある。
【課題を解決するための手段】
【０００８】
上記した課題を解決するためになされた本発明の蝶番は、少なくとも前面に開口を設けた箱体本体と、箱体本体に設けた開口を被覆すると共に開閉可能に設けられる扉体との間に設けられる蝶番であって、箱体本体に設けられる本体側蝶番と、本体側蝶番に掛合されると共に扉体に設けられる扉体側蝶番と、扉体側蝶番と本体側蝶番とに設けられる蝶番ピン挿通孔を貫通して設けられる蝶番ピンとからなり、蝶番ピンに蝶番ピン挿通孔に付着した塗装を剥離する塗装剥離機能と、蝶番ピン挿通孔に蝶番ピンを係止する係止機能とを備えた固定部を設けてなる。
【発明の効果】
【０００９】
本発明の蝶番によれば、固定部は塗装剥離機能を備えており、蝶番ピンのネジ込みによって蝶番ピン挿通孔に付着した塗装を剥離するため、箱体本体と扉体との電気的導通の確保が可能である。又、蝶番ピンの固定部は係止機能を備えており、蝶番ピンのネジ込みによって容易な着脱及び確実な固定が可能である。
【００１０】
又、蝶番ピンの固定部は塗装剥離機能と係止機能を備えているため、蝶番ピンのネジ込み作業によって扉体の取り付けと電気的導通の確保とを同時行うことが可能である。これにより、少ない作業工数によって組立が可能となるため、作業効率の向上を図ることが可能である。
【００１１】
又、蝶番ピンに固定部を設けることによって、電気的導通の確保及び扉体の固定のための別部材が不要となるため、コストの削減を図ることが可能である。
【００１２】
又、蝶番ピンに固定部を設けているため、本体側蝶番と扉体側蝶番とが掛合し、蝶番ピン挿通孔が設けてある蝶番金具であれば、様々な蝶番金具に用いることが可能である。
【発明を実施するための最良の形態】
【００１３】
本発明では、扉体の容易な着脱及び電気的導通の確保が可能な蝶番を少ない部品数で可能にした。
【実施例１】
【００１４】
以下、本発明の実施の形態を説明する。
少なくとも前面に開口を設けた箱体本体１と、箱体本体１に設けた開口を被覆すると共に開閉可能に設けられる扉体３との間に設けられる蝶番であって、この箱体本体１に板材を折曲形成して略Ｕ字状に設けると共にネジ止めによって固定される本体側蝶番２と、本体側蝶番２に掛合するように略Ｉ字状に設けられると共に扉体３に溶接して設けられる扉体側蝶番４と、扉体側蝶番４と本体側蝶番２とに蝶番ピン挿通孔を必要数設け、これら蝶番ピン挿通孔を貫通して設けられる蝶番ピン５とからなり、蝶番ピン５の根元にはに塗装剥離機能と係止機能とを備えたタッピンネジ状の固定部を設けた。本体側蝶番２の凸部を扉体側蝶番４の凹部に配置し、本体側蝶番２と扉体側蝶番４の夫々に設けた蝶番ピン挿通孔を蝶番ピン５が貫通して通り、塗装剥離機能を備えた固定部によって蝶番ピン挿通孔に付着した塗装が剥離されるため、箱体本体１に設けられた本体側蝶番２から蝶番ピン５を通して扉体側蝶番４が設けられている扉体３までの電気的導通の確保が可能となる。又、係止機能を備えた固定部を設けた蝶番ピン５を用いることによって固定部が蝶番ピン挿通孔にネジ込まれるため、扉体３の容易な着脱及び確実な固定が可能である。又、蝶番ピン５の固定部は塗装剥離機能と係止機能を備えているため、蝶番ピン５のネジ込み作業によって扉体３の取り付けと電気的導通の確保とを同時行うことが可能である。これにより、少ない作業工数によって組立が可能となるため、作業効率の向上を図ることが可能である。又、蝶番ピン５に固定部を設けることによって、電気的導通の確保及び扉体３の固定のための別部材が不要となるため、コストの削減を図ることが可能である。
【実施例２】
【００１５】
以下、本発明の実施の形態を説明する。
少なくとも前面に開口を設けた箱体本体１１、２１と、箱体本体１１、２１に設けた開口を被覆すると共に開閉可能に設けられる扉体１３、２３との間に設けられる蝶番であって、この箱体本体１１、２１に断面が略コ字状で、且つ、略中央に切欠部を設けて略Ｕ字状に形成すると共にネジ止めによって固定される本体側蝶番１２、２２と、本体側蝶番１２、２２に掛合するように略Ｗ字状に設けられると共に扉体１３、２３に溶接して設けられる扉体側蝶番１４、２４と、扉体側蝶番１４、２４と本体側蝶番１２、２２とに蝶番ピン挿通孔１７を必要数設け、これら蝶番ピン挿通孔１７を貫通して設けられる蝶番ピン１５、２５とからなり、蝶番ピン１５、２５の根元にはに塗装剥離機能と係止機能とを備えたタッピンネジ状の固定部１６を設けた。本体側蝶番１２、２２の左右の凸部を扉体側蝶番１４、２４の左右の凹部に夫々配置し、本体側蝶番１２、２２と扉体側蝶番１４、２４の夫々に設けた蝶番ピン挿通孔１７を蝶番ピン１５、２５が貫通して通り、塗装剥離機能を持つ固定部１６によって蝶番ピン挿通孔１７に付着した塗装が剥離されるため、箱体本体１１、２１に設けられた本体側蝶番１２、２２から蝶番ピン１５、２５を通して扉体側蝶番１４、２４が設けられている扉体１３、２３までの電気的導通の確保が可能となる。又、係止機能を備えた固定部１６を設けた蝶番ピン１５、２５を用いることで固定部１６が蝶番ピン挿通孔１７にネジ込まれるため、扉体１３、２３の容易な着脱及び確実な固定が可能である。又、蝶番ピン１５、２５の固定部１６は塗装剥離機能と係止機能を備えているため、蝶番ピン１５、２５のネジ込み作業によって扉体１３、２３の取り付けと電気的導通の確保とを同時行うことが可能である。これにより、少ない作業工数によって組立が可能となるため、作業効率の向上を図ることが可能である。又、蝶番ピン１５、２５に固定部１６を設けることによって、電気的導通の確保及び扉体１３、２３の固定のための別部材が不要となるため、コストの削減を図ることが可能である。又、扉体側蝶番１４、２４を略Ｗ字状に形成するため、扉体１３、２３自体の強度向上を兼ねることが可能である。
【００１６】
なお、本体側蝶番及び扉体側蝶番の固定手段及び形状については本実施例による固定手段及び形状に限定されるものではなく、本発明の趣旨を変更しない範囲で適宜変更可能である。
【００１７】
以上のように、本発明の電気機器収納用箱体は、蝶番ピンに塗装剥離機能と係止機能を備えた固定部を設けたことによって、電気的導通の確保が可能となり、加えて容易な着脱及び確実な固定が可能となるものである。
【図面の簡単な説明】
【００１８】
【図１】本発明の実施例１における、実際に取り付けた際の要部斜視図である。
【図２】本発明の実施例２における、蝶番の分解斜視図である。
【図３】本発明の実施例２における、図２をＡから見た図である。
【図４】従来技術における、特許文献１に記載の電気機器収納用箱体の要部断面図である。
【図５】従来技術における、特許文献２に記載の電気機器収納用箱体の要部斜視図である。
【符号の説明】
【００１９】
１、１１、２１、３１、４１    箱体本体
２、１２、２２、３２、４２    本体側蝶番
３、１３、２３、３３、４３    扉体
４、１４、２４、３４、４４    扉体側蝶番
５、１５、２５、３５、４５    蝶番ピン
１６    固定部
１７、３７    蝶番ピン挿通孔
【図１】
2010150845.tif 000003
【図２】
2010150845.tif 000004
【図３】
2010150845.tif 000005
【図４】
2010150845.tif 000006
【図５】
2010150845.tif 000007